【手続補正書】
【提出日】平成30年8月6日(2018.8.6)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
符号化ビットストリームから、ビット深度に基づく値の範囲を示す第1のシンタックス要素を受信するステップであって、前記値の範囲は、前記ビデオデータのコーディングユニットの変換係数の絶対値を表すために使用され、前記値の範囲は最小値と最大値とを含み、前記ビット深度は、前記ビデオデータの前記コーディングユニットのルーマビデオ成分またはクロマビデオ成分を表すために使用されるビット数を表し、前記ビデオデータの前記コーディングユニットは、前記ビデオデータの領域である、ステップと、
前記符号化ビットストリームから、前記ビデオデータの前記コーディングユニットの前記変換係数のうちの第1の変換係数の絶対値を示す第2のシンタックス要素を受信するステップであって、前記第2のシンタックス要素は、プレフィックスコードワードと、前記プレフィックスコードワードに連結されたサフィックスコードワードとによって表される、ステップと、
前記第2のシンタックス要素の前記サフィックスコードワードを復号するときに使用されるべきサフィックスビットの最大数を決定するステップであって、前記サフィックスビットの最大数は、前記ビデオデータの前記コーディングユニットのルーマビデオ成分またはクロマビデオ成分を表すために使用される前記ビット数を表す前記ビット深度に基づいた、前記第1のシンタックス要素によって示された前記範囲の前記最大値に基づく、ステップと、
前記第2のシンタックス要素の前記プレフィックスコードワードを復号するときに使用されるべきプレフィックスビットの最大数を決定するステップであって、前記プレフィックスビットの最大数は、前記決定されたサフィックスビットの最大数と、前記ビデオデータの前記コーディングユニットの前記変換係数を表すために使用されるビットの最大数を表す値との間の差に基づく、ステップと、
前記決定されたプレフィックスビットの最大数に基づいて、前記第2のシンタックス要素の前記プレフィックスコードワードを復号するステップであって、前記プレフィックスコードワードは、前記決定されたプレフィックスビットの最大数以下であるビット数を有する、ステップと、
前記決定されたサフィックスビットの最大数に基づいて、前記第2のシンタックス要素の前記サフィックスコードワードを復号するステップであって、前記サフィックスコードワードは、前記決定されたサフィックスビットの最大数以下であるビット数を有する、ステップと、
前記復号されたプレフィックスコードワードと前記復号されたサフィックスコードワードとに基づいて、前記第1の変換係数の前記絶対値を決定するステップと、
前記第1の変換係数の前記決定された絶対値に基づいて、前記コーディングユニットを復号するステップと
を含む、方法。
【請求項２】
前記プレフィックスコードワードが、短縮単項表現を備える、請求項1に記載の方法。
【請求項３】
前記第2のシンタックス要素が、coeff_abs_level_remainingである、請求項1に記載の方法。
【請求項４】
前記サフィックスビットの最大数が、前記コーディングユニットのビデオ成分のためのLog2TransformRange変数の値に等しく、前記Log2TransformRange変数の前記値が、前記変換係数の前記絶対値を表すために必要とされるビットの最大数を示す、請求項1に記載の方法。
【請求項５】
前記コーディングユニットのコーディングモードがバイパスモード、無損失モード、またはスキップモードであるとき、前記プレフィックスビットの最大数と前記サフィックスビットの最大数とを調整するステップをさらに含む、請求項1に記載の方法。
【請求項６】
前記コーディングモードがバイパスモード、無損失モード、またはスキップモードであるとき、前記プレフィックスビットの最大数と前記サフィックスビットの最大数とが等しいと決定するステップをさらに含む、請求項5に記載の方法。
【請求項７】
前記プレフィックスの最大値が、前記プレフィックスビットの最大数を有する最大の短縮単項表現を備える、請求項1に記載の方法。
【請求項８】
前記コーディングユニットのコーディングモードに基づいて、前記プレフィックスビットの最大数と前記サフィックスビットの最大数とを調整するステップをさらに含む、請求項1に記載の方法。
【請求項９】
前記第1のシンタックス要素がLog2TransformRangeであり、前記第2のシンタックス要素がcoeff_abs_level_remainingである、請求項1に記載の方法。
【請求項１０】
ビデオデータを符号化する方法であって、
前記ビデオデータのコーディングユニットのための変換係数を生成するステップであって、前記ビデオデータの前記コーディングユニットは、前記ビデオデータの領域である、ステップと、
ビット深度に基づく値の範囲を示す第1のシンタックス要素を生成するステップであって、前記値の範囲は、前記ビデオデータの前記コーディングユニットの前記変換係数の絶対値を表すために使用され、前記値の範囲は最小値と最大値とを含み、前記ビット深度は、前記ビデオデータの前記コーディングユニットのルーマビデオ成分またはクロマビデオ成分を表すために使用されるビット数を表す、ステップと、
前記ビデオデータの前記コーディングユニットの前記変換係数のうちの第1の変換係数の絶対値を示す第2のシンタックス要素を生成するステップと、
前記第2のシンタックス要素に対応するサフィックスコードワードを符号化するときに使用されるべきサフィックスビットの最大数を決定するステップであって、前記サフィックスビットの最大数は、前記ビデオデータの前記コーディングユニットのルーマビデオ成分またはクロマビデオ成分を表すために使用される前記ビット数を表す前記ビット深度に基づいた、前記第1のシンタックス要素によって示された前記範囲の前記最大値に基づく、ステップと、
前記第2のシンタックス要素に対応するプレフィックスコードワードを符号化するときに使用されるべきプレフィックスビットの最大数を決定するステップであって、前記プレフィックスビットの最大数は、前記決定されたサフィックスビットの最大数と、前記ビデオデータの前記コーディングユニットの前記変換係数を表すために使用されるビットの最大数を表す値との間の差に基づく、ステップと、
前記決定されたプレフィックスビットの最大数に基づいて、前記第2のシンタックス要素に対応する前記プレフィックスコードワードを符号化するステップであって、前記プレフィックスコードワードは、前記決定されたプレフィックスビットの最大数以下であるビット数を有する、ステップと、
前記決定されたサフィックスビットの最大数に基づいて、前記第2のシンタックス要素に対応する前記サフィックスコードワードを符号化するステップであって、前記サフィックスコードワードは、前記決定されたサフィックスビットの最大数以下であるビット数を有し、前記サフィックスコードワードは、前記プレフィックスコードワードに連結される、ステップと、
前記第2のシンタックス要素を一緒に表す前記プレフィックスコードワードと前記サフィックスコードワードとを含む、符号化ビットストリームを生成するステップと
を含む、方法。
【請求項１１】
前記プレフィックスコードワードが、短縮単項表現を備える、請求項10に記載の方法。
【請求項１２】
前記第2のシンタックス要素が、coeff_abs_level_remainingである、請求項10に記載の方法。
【請求項１３】
前記サフィックスビットの最大数が、前記コーディングユニットのビデオ成分のためのLog2TransformRange変数の値に等しく、前記Log2TransformRange変数の前記値が、前記変換係数の前記絶対値を表すために必要とされるビットの最大数を示す、請求項10に記載の方法。
【請求項１４】
前記コーディングユニットのコーディングモードがバイパスモード、無損失モード、またはスキップモードであるとき、前記プレフィックスビットの最大数と前記サフィックスビットの最大数とを調整するステップをさらに含む、請求項10に記載の方法。
【請求項１５】
前記コーディングモードがバイパスモード、無損失モード、またはスキップモードであるとき、前記プレフィックスビットの最大数と前記サフィックスビットの最大数とが等しいと決定するステップをさらに含む、請求項14に記載の方法。
【請求項１６】
前記プレフィックスの最大値が、前記プレフィックスビットの最大数を有する最大の短縮単項表現を備える、請求項10に記載の方法。
【請求項１７】
前記コーディングユニットのコーディングモードに基づいて、前記プレフィックスビットの最大数と前記サフィックスビットの最大数とを調整するステップをさらに含む、請求項10に記載の方法。
【請求項１８】
前記第1のシンタックス要素がLog2TransformRangeであり、前記第2のシンタックス要素がcoeff_abs_level_remainingである、請求項10に記載の方法。
【請求項１９】
ビデオデータを復号するように構成される装置であって、
ビデオデータを記憶するように構成されるメモリと、
少なくとも1つのプロセッサであって、
符号化ビットストリームから、ビット深度に基づく値の範囲を示す第1のシンタックス要素を受信することであって、前記値の範囲は、前記ビデオデータのコーディングユニットの変換係数の絶対値を表すために使用され、前記値の範囲は最小値と最大値とを含み、前記ビット深度は、前記ビデオデータの前記コーディングユニットのルーマビデオ成分またはクロマビデオ成分を表すために使用されるビット数を表し、前記ビデオデータの前記コーディングユニットは、前記ビデオデータの領域である、受信することと、
前記符号化ビットストリームから、前記ビデオデータの前記コーディングユニットの前記変換係数のうちの第1の変換係数の絶対値を示す第2のシンタックス要素を受信することであって、前記第2のシンタックス要素は、プレフィックスコードワードと、前記プレフィックスコードワードに連結されたサフィックスコードワードとによって表される、受信することと、
前記第2のシンタックス要素の前記サフィックスコードワードを復号するときに使用されるべきサフィックスビットの最大数を決定することであって、前記サフィックスビットの最大数は、前記ビデオデータの前記コーディングユニットのルーマビデオ成分またはクロマビデオ成分を表すために使用される前記ビット数を表す前記ビット深度に基づいた、前記第1のシンタックス要素によって示された前記範囲の前記最大値に基づく、決定することと、
前記第2のシンタックス要素の前記プレフィックスコードワードを復号するときに使用されるべきプレフィックスビットの最大数を決定することあって、前記プレフィックスビットの最大数は、前記決定されたサフィックスビットの最大数と、前記ビデオデータの前記コーディングユニットの前記変換係数を表すために使用されるビットの最大数を表す値との間の差に基づく、決定することと、
前記決定されたプレフィックスビットの最大数に基づいて、前記第2のシンタックス要素の前記プレフィックスコードワードを復号することであって、前記プレフィックスコードワードは、前記決定されたプレフィックスビットの最大数以下であるビット数を有する、復号することと、
前記決定されたサフィックスビットの最大数に基づいて、前記第2のシンタックス要素の前記サフィックスコードワードを復号することであって、前記サフィックスコードワードは、前記決定されたサフィックスビットの最大数以下であるビット数を有する、復号することと、
前記復号されたプレフィックスコードワードと前記復号されたサフィックスコードワードとに基づいて、前記第1の変換係数の前記絶対値を決定することと、
前記第1の変換係数の前記決定された絶対値に基づいて、前記コーディングユニットを復号することと
を行うように構成される、少なくとも1つのプロセッサと
を備える、装置。
【請求項２０】
前記少なくとも1つのプロセッサが、前記コーディングユニットのコーディングモードがバイパスモード、無損失モード、またはスキップモードであるとき、前記プレフィックスビットの最大数と前記サフィックスビットの最大数とを調整するようにさらに構成される、請求項19に記載の装置。
【請求項２１】
前記プレフィックスコードワードが、短縮単項表現を備える、請求項19に記載の装置。
【請求項２２】
前記第2のシンタックス要素が、coeff_abs_level_remainingである、請求項19に記載の装置。
【請求項２３】
前記第1のシンタックス要素がLog2TransformRangeであり、前記第2のシンタックス要素がcoeff_abs_level_remainingである、請求項19に記載の装置。